(57)【特許請求の範囲】
【請求項１】
被挟持部材を挟持する一対の挟み部材と、
前記一対の挟み部材の基端部側で該一対の挟み部材の先端側を開閉可能に連結する連結部と、
前記一対の挟み部材それぞれの先端部側が当接する方向に該一対の挟み部材を付勢する付勢部材と、
前記一対の挟み部材の先端側が当接した閉状態において互いに離間し、この離間した状態で前記付勢部材の付勢力に抗して互いに接近させることで前記一対の挟み部材の先端部側が離間した開状態に切替え可能な一対の把持部材と、を備える間接活線工事用クリップであって、
前記一対の把持部材は、略円形の板状に形成されて、円環状の外枠部と、該外枠部の内側に設けられ該外枠部の厚さよりも薄く構成された板状部とを有し、
前記板状部は、前記外枠部側に配置される外側板状部と、該外側板状部の内側に配置され該外側板状部よりも薄く構成された内側板状部とを備え、
前記内側板状部の外周は、前記外枠部に内接する複数の頂点を有する多角形状に形成される間接活線工事用クリップ。
【請求項２】
前記内側板状部の外周は、星形多角形状に形成される請求項１に記載の間接活線工事用クリップ。
【請求項３】
前記外枠部に内接する複数の頂点それぞれの内角は略９０度に形成される請求項１又は２に記載の間接活線工事用クリップ。
【請求項４】
前記内側板状部には貫通穴が形成されている請求項１から３のいずれかに記載の間接活線工事用クリップ。
【発明の詳細な説明】
【技術分野】
【０００１】
本発明は、高圧配電線路の活線工事に用いられる間接活線工事用クリップに関する。
【背景技術】
【０００２】
間接活線工事用クリップは、高圧配電線路の活線工事において、例えば、電線の充電部に被せた絶縁シートが工事中に離脱しないように、絶縁ヤットコ等の間接活線工具により把持され、これによって、絶縁シートを電線に仮固定するように使用される。
【０００３】
このように使用される間接活線工事用クリップは、シートを挟持する一対の挟み部材と、この一対の挟み部材をそれらの先端部側が当接した閉じ姿勢に付勢する付勢部材と、付勢部材の付勢力に抗して一対の挟み部材をそれらの先端部側が離間した開き姿勢に切替え可能な一対の把持部材と、を備える。そして、従来の間接活線工事用クリップにおいては、絶縁ヤットコ等の間接活線工具により把持される一対の把持部材が四角形状に形成されている（例えば、特許文献１参照）。
【先行技術文献】
【特許文献】
【０００４】
【特許文献１】特開２００１−２７２０９号公報
【発明の概要】
【発明が解決しようとする課題】
【０００５】
しかしながら、特許文献１等に開示されている従来の間接活線工事用クリップにおいては、絶縁ヤットコ等の間接活線工具により一対の把持部材を把持する際、安定よく把持できる方向が、四角形状の把持部材の四辺のうち最も外側の辺に対して直角となる一定方向に制約されることになる。
【０００６】
従って、本発明は、間接活線工具を把持部材に対して任意の方向から差し入れて安定よく把持することができる間接活線工事用クリップを提供することを目的とする。
【課題を解決するための手段】
【０００７】
本発明は、シートを挟持する一対の挟み部材と、前記一対の挟み部材の基端部側で該一対の挟み部材の先端側を開閉可能に連結する連結部と、前記一対の挟み部材それぞれの先端部側が当接する方向に該一対の挟み部材を付勢する付勢部材と、前記一対の挟み部材の先端側が当接した閉状態において互いに離間し、この離間した状態で前記付勢部材の付勢力に抗して互いに接近させることで前記一対の挟み部材の先端部側が離間した開状態に切替え可能な一対の把持部材と、を備える間接活線工事用クリップであって、前記一対の把持部材は、略円形の板状に形成されている間接活線工事用クリップに関する。
【０００８】
また、前記一対の把持部材は、円環状の外枠部と、該外枠部の内側に設けられ該外枠部の厚さよりも薄く構成された板状部とを、有することが好ましい。
【０００９】
また、前記板状部は、前記外枠部側に配置される外側板状部と、該外側板状部の内側に配置され該外側板状部よりも薄く構成された内側板状部と、を備えることが好ましい。
【００１０】
また、前記内側板状部の外周は、前記外枠部に内接する複数の頂点を有する多角形状に形成されることが好ましい。
【００１１】
また、前記内側板状部の外周は、前記外枠部に内接する複数の頂点を有する星形多角形状に形成されることが好ましい。
【００１２】
また、前記外枠部に内接する複数の頂点それぞれの内角は略９０度に形成されることが好ましい。
【００１３】
また、前記内側板状部には貫通穴が形成されていることが好ましい。
【発明の効果】
【００１４】
本発明によれば、間接活線工具を把持部材に対して任意の方向から差し入れて安定よく把持することができる間接活線工事用クリップを提供することができる。
【図面の簡単な説明】
【００１５】
【図１】本発明に係る間接活線工事用クリップ１の第１実施形態を示す全体平面図である。
【図２】第１実施形態の間接活線工事用クリップ１の連結部３付近を切欠いて示す全体側面図である。
【図３】第１実施形態の間接活線工事用クリップ１の把持部材５の構成を示す拡大斜視図である。
【図４】第１実施形態の間接活線工事用クリップ１の把持部材５の構成を示す拡大平面図である。
【図５】第１実施形態の間接活線工事用クリップ１の把持部材５に対する絶縁ヤットコ１０の差込み方向を説明する要部の平面図である。
【図６】第１実施形態の間接活線工事用クリップ１の把持部材５を間接活線工具としての絶縁ヤットコ１０の口金１１により把持した状態を示す要部の縦断側面図である。
【図７】第２実施形態の間接活線工事用クリップ１を示す全体平面図である。
【図８】第３実施形態の間接活線工事用クリップ１を示す全体平面図である。
【図９】第４実施形態の間接活線工事用クリップ１の把持部材５の構成を示す拡大平面図である。
【発明を実施するための形態】
【００１６】
以下、図面を参照して、本発明に係る間接活線工事用クリップ１の第１実施形態について説明する。
図１は、第１実施形態の間接活線工事用クリップ１の全体平面図である。図２は、第１実施形態の間接活線工事用クリップ１の連結部３付近を切欠いて示す全体側面図である。
【００１７】
図１及び図２に示すように、間接活線工事用クリップ１は、一対の挟み部材２，２と、一対の挟み部材２，２を回動可能に連結する連結部３と、付勢部材としてのバネ４と、一対の把持部材５，５と、を備える。
【００１８】
一対の挟み部材２，２は、例えば、高圧配電線路における電線の充電部に被せた絶縁シート（図示せず）を一対の挟み部材２，２の先端側２１，２１で挟持するものである。一対の挟み部材２，２は、合成樹脂等の電気絶縁性材料により長尺帯状に形成され、それらの外面には複数の補強リブ２３，２３が形成されている。
【００１９】
連結部３は、一対の挟み部材２，２の長手方向の一端部（基端部）側２２，２２に配置される。この連結部３は、一対の挟み部材２，２の幅方向に挿通された固定ピン３１と、この固定ピン３１の挿通箇所の外側で一対の挟み部材２，２の基端側２２，２２の外周部を取り巻くように嵌合された環状部材３２と、を含んで構成される。連結部３は、一対の挟み部材２，２を、固定ピン３１を中心にして回動させることにより、一対の挟み部材２，２の先端側２１，２１を開閉可能に連結する。
【００２０】
図２に示すように、一対の把持部材５，５は、一対の挟み部材２，２の基端側２２，２２にそれぞれ連結される。この一対の把持部材５，５は、一対の挟み部材２，２の先端側２１，２１が当接した閉状態において、互いに漸次離間するように連結部３から一対の挟み部材２，２とは反対の斜め方向に向けて延出している。一対の把持部材５，５は、合成樹脂等の電気絶縁性材料を用いて、例えば、射出成型機（図示せず）等により一対の挟み部材２，２と一体に成形される。一対の把持部材５，５は、一対の把持部材５，５が互いに離間した状態で、後述するバネ４のバネ力に抗して互いに接近させることで、一対の挟み部材２，２の先端側２１，２１が離間した開状態に切替え可能である。
【００２１】
図２に示すように、バネ４は、つる巻状の金属製バネで、巻回部４１と、この巻回部４１の両端から延びる一対の線状部４２，４２と、を備える。巻回部４１は、連結部３の固定ピン３１に巻き付けられる。一対の線状部４２，４２は、巻回部４１から末広がりに拡開させて延び、一対の把持部材５，５の対向面側に押し当てるように組み込まれる。これによって、バネ４が保有するバネ力（付勢力）により一対の挟み部材２，２それぞれの先端側２１，２１が当接する方向に一対の挟み部材２，２を付勢する。なお、バネ４は、一対の把持部材５，５に覆われ、表面に露出しないようになっている。
【００２２】
次に、第１実施形態の間接活線工事用クリップ１における特徴部分である一対の把持部材５，５の構成について詳しく説明する。なお、一対の把持部材５，５は、全く同じ構成であるため、以下の説明では、一方の把持部材５について説明する。
図３は、第１実施形態の間接活線工事用クリップ１における把持部材５の拡大斜視図である。図４は、第１実施形態の間接活線工事用クリップ１における把持部材５の拡大平面図である。
【００２３】
図３及び図４に示すように、把持部材５は、平面視で全体が略円形の板状に形成されている。具体的には、把持部材５は、円環状の外枠部５１と、外枠部５１の内側に設けられる略円形の板状部５２と、を有する。板状部５２は、外枠部５１の厚さよりも薄く構成される。
板状部５２は、外枠部５１の内周面側に配置される外側板状部５２Ａと、外側板状部５２Ａの内側に配置される内側板状部５２Ｂと、を備える。
【００２４】
図４に示すように、内側板状部５２Ｂは、外側板状部５２Ａよりも薄く構成されると共に、表裏両面には、例えば、アヤ目状等の滑り止め加工が施されている。内側板状部５２Ｂの外周は、円周方向に沿って外枠部５１に内接する複数の頂点Ｐ（例えば、１２個）を有する多角形状に形成される。外枠部５１に内接する複数の頂点Ｐそれぞれの内角θは略９０度に形成される。この内側板状部５２Ｂは、図４に示すように、２対の対向する辺５２１，５２２が間接活線工事用クリップ１の長手方向に沿うように配置されている。
【００２５】
上記のように構成された第１実施形態の間接活線工事用クリップ１は、高圧配電線路の活線工事において、例えば、電線の充電部に被せた絶縁シートが工事中に離脱しないように、絶縁シートをバネ４のバネ力により閉じ姿勢に付勢される一対の挟み部材２，２の先端側２１，２１間に挟持して絶縁シートを電線に仮固定するような場合に使用される。
【００２６】
このような使用態様において、一対の挟み部材２，２が閉じ姿勢にある状態で、互いに離間した状態にある一対の把持部材５，５には、間接活線工具としての絶縁ヤットコ１０の先端部における開閉可能な一対の口金１１，１１が、口金１１，１１の開放状態で、図５に示すように、Ａ〜Ｆいずれかの方向から差し入れられる。これによって、絶縁ヤットコ１０の口金１１，１１にシートクリップ１をセットすることが可能である。
【００２７】
この状態で、図６に示すように、絶縁ヤットコ１０における主、補助操作棒１２，１３を操作して一対の口金１１，１１を必要に応じて閉動させることにより、互いに離間状態にある一対の把持部材５，５をバネ４のバネ力に抗して互いに接近させて、一対の挟み部材２，２を連結部３の固定ピン３１を中心にして回動させることにより、一対の挟み部材２，２の先端側２１，２１が互いに離間した開状態に切替えられ、シートクリップ１による絶縁シートの挟持を解除することが可能である。
【００２８】
第１実施形態における間接活線工事用クリップ１によれば、次のような効果が奏される。
（１）第１実施形態においては、一対の把持部材５，５が、略円形の板状に形成されている。そのため、絶縁ヤットコ１０の口金１１，１１を把持部材５，５に対して、略３６０°の範囲でどの方向からでも差し入れて把持部材５，５を把持することができる。その結果、間接活線工事における操作性、作業性の向上が図れる。
【００２９】
（２）第１実施形態においては、一対の把持部材５，５が、円環状の外枠部５１と、この外枠部５１の厚さよりも薄く構成された内側の板状部５２と、を有する。そのため、いずれの方向から差し入れた場合でも、絶縁ヤットコ１０の一対の口金１１，１１の先端部１１Ａ，１１Ａ（通常、角型に形成されている。）が内側の板状部５２に当接すると共に、先端部１１Ａ，１１Ａに連なる円弧状部分１１Ｂ，１１Ｂが土手となる円環状の外枠部５１に引掛かることになる。従って、一対の口金１１、１１に把持された把持部材５，５が振動等によって脱落することがなく、確実且つ安定よく把持することができる。
【００３０】
（３）第１実施形態においては、把持部材５，５における円環状の外枠部５１の内側の板状部５２が、外枠部５１の内周面側に配置される外側板状部５２Ａと、外側板状部５２Ａの内側に配置される内側板状部５２Ｂと、を備え、内側板状部５２Ｂの外周が、外枠部５１に内接する複数の頂点Ｐを有する多角形状に形成されている。
そのため、内側板状部５２Ｂに当接する絶縁ヤットコ１０の一対の口金１１，１１の先端部１１Ａ，１１Ａの一部が外側板状部５２Ａの内周の多角形側縁部に当接あるいは接触することになる。従って、一対の口金１１，１１の先端部１１Ａ，１１Ａで把持された把持部材５，５が口金１１，１１に対してずれ動くことがなく、一層安定のよい把持を行うことができる。
【００３１】
（４）第１実施形態においては、内側板状部５２Ｂの外周に形成される複数の頂点Ｐそれぞれの内角が略９０度に形成されている。そのため、絶縁ヤットコ１０の口金１１，１１の先端部１１Ａ，１１Ａの形状と頂点Ｐの形状が略一致することになり、口金１１，１１に対する把持部材５，５のずれ動きをより確実に抑制することができる。
【００３２】
（５）第１実施形態においては、内側板状部５２Ｂを、多角形のうちの２対の対向する辺５２１，５２２が間接活線工事用クリップ１の長手方向に沿うように配置した。これにより、絶縁ヤットコ１０を間接活線工事用クリップ１の長手方向から差し込んで一対の把持部材５，５を把持した場合に、平面視で略長方形状を有する一対の口金１１，１１の先端部１１Ａ，１１Ａの形状と内側板状部５２Ｂの外周の形状とを略一致させられる。よって、絶縁ヤットコ１０を間接活線工事用クリップ１の長手方向から差し込んで一対の把持部材５，５を把持した場合に、把持部材５，５が口金１１，１１に対してずれ動くことがなく、一層安定のよい把持を行うことができる。
【００３３】
次に、第２実施形態の間接活線工事用クリップ１について説明する。以下の第２実施形態以降については、第１実施形態と異なる点について説明し、第１実施形態と同様な構成については同じ符号を付し、詳しい説明を省略する。第２実施形態において特に説明しない点は、第１実施形態についての説明が適用される。
第２実施形態の間接活線工事用クリップ１は、図７に示すように、内側板状部５２Ｂの形状において第１実施形態と異なる。より具体的には、内側板状部５２Ｂは、外枠部５１に内接する複数の頂点Ｐを有する星形多角形状に形成されている。外枠部５１に内接する複数の頂点Ｐそれぞれの内角θは略９０度に形成される。この内側板状部５２Ｂは、図７に示すように、２対の対向する辺５２１，５２２が間接活線工事用クリップ１の長手方向に沿うように配置されている。
【００３４】
第２実施形態の間接活線工事用クリップ１によれば、上記（１）〜（４）の効果を奏する。
【００３５】
次に、第３実施形態の間接活線工事用クリップ１について説明する。
第３実施形態の間接活線工事用クリップ１は、図８に示すように、内側板状部５２Ｂの形状において第１実施形態と異なる。より具体的には、内側板状部５２Ｂは、外枠部５１に内接する複数の頂点Ｐを有すると共に、隣り合う頂点Ｐ間が内側に湾曲した円弧状に形成されている。
【００３６】
第３実施形態の間接活線工事用クリップ１によれば、上記（１）及び（２）の効果を奏する。
【００３７】
次に、第４実施形態の間接活線工事用クリップ１について説明する。
図９は、第４実施形態の間接活線工事用クリップ１の特徴部分である一対の把持部材５，５の拡大平面図である。
図９に示すように、第４実施形態においては、把持部材５における内側の板状部５２の薄い内側板状部５２Ｂの略中央部に貫通穴５３が形成されている。
【００３８】
第４実施形態の間接活線工事用クリップ１によれば、間接活線工事に使用する場合において第１実施形態と同様な効果を奏すると共に、内側板状部５２Ｂの略中央部に貫通穴５３が形成されているため、一対の口金１１，１１の先端部が、例えば、爪状に形成されている絶縁ヤットコを用いる場合でも、爪状の先端部を貫通穴５３内に係入させることにより、把持部材５，５を安定よく把持することができる。これによって、間接活線工事に使用する絶縁ヤットコに対する適用性（バリエーション）を広げることができる。
【００３９】
以上、本発明の好適な実施形態について説明したが、本発明は上述した実施形態に限定されることなく、例えば、把持部材５を、円環状の外枠部５１と、この外枠部５１の厚さよりも薄く構成された略円形の内側の板状部５２と、からのみ形成してもよい。
本発明の間接活線工事用クリップは、電線の充電部に被せた絶縁シートを仮支持する場合、電線を電線に仮支持する場合、及び電線を防具をつけた腕金に仮支持する場合等に好適に用いられる。
【符号の説明】
【００４０】
１  間接活線工事用クリップ
２  挟み部材
３  連結部
４  付勢部材（バネ）
５  把持部材
５１  外枠部
５２  板状部
５２Ａ  外側板状部
５２Ｂ  内側板状部
５３  貫通穴
Ｐ  頂点
θ  頂点の内角
【図１】
0005465509.tif 000002
【図２】
0005465509.tif 000003
【図３】
0005465509.tif 000004
【図４】
0005465509.tif 000005
【図５】
0005465509.tif 000006
【図６】
0005465509.tif 000007
【図７】
0005465509.tif 000008
【図８】
0005465509.tif 000009
【図９】
0005465509.tif 000010